(57)【要約】【課題】強度が高いスーツケースのフレームを提供する。【解決手段】スーツケースのフレーム１０は、スーツケースの第一外装シェルと第二外装シェルとの間に設けられているフレームであって、第一枠体２０および第二枠体３０を備える。第一枠体２０には、第一外装シェルに固定されている第一固定部２１、および、第一外装シェルとは反対側に設けられている嵌合部２２が形成されている。第二枠体３０には、第二外装シェルに固定されている第二固定部３１、第二固定部３１から第二外装シェルとは反対側に延出し延出方向の横断面の形状が円弧状である拡張部３２、および、嵌合部２２と接可能に拡張部３２の第二固定部３１とは反対側の端部に位置する当接部３３が形成されている。【選択図】  図１
0003181440.tif 000002
【実用新案登録請求の範囲】
【請求項１】
スーツケースの第一外装シェルと第二外装シェルとの間に設けられ、前記第一外装シェルおよび前記第二外装シェルにより形成される前記スーツケースの内部空間を囲むフレームであって、
前記第一外装シェルに固定されている第一固定部、および、前記第一外装シェルとは反対側に設けられている嵌合部が形成されている第一枠体と、
前記第二外装シェルに固定されている第二固定部、当該第二固定部から前記第二外装シェルとは反対側に延出し延出方向の横断面の形状が円弧状である拡張部、および、前記嵌合部と接可能に当該拡張部の前記第二固定部とは反対側の端部に位置する当接部が形成されている第二枠体と、を備えることを特徴とするスーツケースのフレーム。
【請求項２】
前記嵌合部は、嵌合面を有し、
前記当接部は、前記延出方向において前記拡張部との反対側に、前記拡張部と同じ円弧度を有し前記嵌合面に当接可能である外側当接部が形成されていることを特徴とする請求項１に記載のスーツケースのフレーム。
【請求項３】
前記嵌合部は、前記嵌合面に接続され、前記第二枠体に向かって突出している少なくとも一つの突起状ストッパーが形成されており、
前記当接部は、前記外側当接部の内側に形成されているフック部、および、当該フック部と前記外側当接部との間に形成され前記突起状ストッパーを格納可能な格納溝を有することを特徴とする請求項２に記載のスーツケースのフレーム。
【請求項４】
前記第一枠体の前記嵌合部の外側には、第一頂面が形成されており、
前記第二枠体の前記第二固定部には、第二頂面が形成されており、
前記第二枠体の前記拡張部は、前記第一頂面と前記第二頂面とを連結する仮想平面より、前記内部空間側に湾曲していることを特徴とする請求項１に記載のスーツケースのフレーム。
【請求項５】
前記第一枠体の前記嵌合部の外側には、第一頂面が形成されており、
前記第二枠体の前記第二固定部の外側には、第二頂面が形成されており、
前記第二枠体の拡張部および外側当接部は、前記第一頂面と前記第二頂面とを連結する仮想平面の前記内部空間側に位置していることを特徴とする請求項２に記載のスーツケースのフレーム。
【請求項６】
前記第二枠体の前記第二固定部には、第二頂面が形成されており、
前記当接部の前記内部空間とは反対側の端部と前記第二頂面とは同じ高さを有することを特徴とする請求項２に記載のスーツケースのフレーム。
【請求項７】
前記第一枠体の前記嵌合部には、前記第一頂面が形成されており、
前記当接部の外側の最高点と前記第一頂面とは同じ高さを有することを特徴とする請求項２または請求項６に記載のスーツケースのフレーム。
【考案の詳細な説明】
【技術分野】
【０００１】
本考案は、スーツケースのフレームに関し、詳しくは二つの枠体を相互に当接させてスーツケースを閉めるフレームに関するものである。
【背景技術】
【０００２】
スーツケースは日常生活の中で広く使用されている。例えば旅行または出張に出かける際、スーツケースは身の回りの品および生活用品の収納に用いられる。かつ様々な需要に応じるため、機能および形の異なる様々なスーツケースが開発された。
【０００３】
ファスナーにより二つの外装シェルを連結するスーツケースにおいて、一部のスーツケースは、二つの外装シェルの周りに枠体が設けられており、二つの枠体を当接させ、スーツケースを閉める。詳しく言えば、従来は、一つの枠体に別の枠体へ伸びる平板状の拡張部が形成されている。しかしながら、平板状構造は強度が比較的低く、二つの外装シェルの間のロックが外側に突起するため、不便である。
【考案の概要】
【考案が解決しようとする課題】
【０００４】
本考案は、上述した問題に鑑みてなされたものであり、その目的は強度が高いスーツケースのフレームを提供することにある。
【課題を解決するための手段】
【０００５】
本考案による、スーツケースのフレームは、スーツケースの第一外装シェルと第二外装シェルとの間に設けられているフレームであって、第一枠体および第二枠体を備える。
【０００６】
第一枠体には、第一外装シェルに固定されている第一固定部、および、第一外装シェルとは反対側に設けられている嵌合部が形成されている。
【０００７】
第二枠体には、第二外装シェルに固定されている第二固定部、第二固定部から第二外装シェルとは反対側に延出し延出方向の横断面の形状が円弧状である拡張部、および、嵌合部と接可能に拡張部の第二固定部とは反対側の端部に位置する当接部が形成されている。
【０００８】
本考案は、従来の平板状の拡張部を改良し、円弧状にすることで、強度を高めただけでなく、当接部と嵌合部とが相互に当接する際、拡張部の緩衝性を高めたため、比較的大きい外力および衝撃に耐えることができる。一方、本考案は、拡張部を凹ませることによって二つの外装シェルの間のロックが外側に突起し過ぎることを抑制することができる。
【図面の簡単な説明】
【０００９】
【図１】本考案の一実施形態によるスーツケースのフレームの一部を示す斜視図である。
【図２】本考案の一実施形態によるスーツケースのフレームの応用状態を示す斜視図である。
【図３】本考案の一実施形態によるスーツケースのフレームの一部を示す断面図である。
【図４】本考案の他の実施形態によるスーツケースのフレームの一部を示す断面図である。
【考案を実施するための形態】
【００１０】
本考案の実施形態によるスーツケースのフレームを図面に基づいて説明する。
（一実施形態）
本考案の一実施形態によるスーツケースのフレームを図１〜図３に示す。図１から図３に示すように、本実施形態によるスーツケースのフレーム１０はスーツケース１に適用され、スーツケース１の第一外装シェル２および第二外装シェル３の間に設けられている。スーツケースのフレーム１０は、第一枠体２０および第二枠体３０を備える。第一枠体２０および第二枠体３０はアルミニウムのプレス加工によって製作される。
【００１１】
第一枠体２０は、第一固定部２１および嵌合部２２を有する。第一固定部２１はスーツケース１の第一外装シェル２の周りに固定されている。第一固定部２１と第一外装シェル２との間はミシンまたは釘打ちによって固定されている。ミシンで縫った跡または釘を打った跡は、第一固定部２１の陥没溝２１１に形成されている。陥没溝２１１にシート部材２３を装着することによって痕跡を遮蔽することができるが、陥没溝２１１および玉縁２３は必ずしも必要なものではない。嵌合部２２は、第一固定部２１に接続され、嵌合面２２１、および第二枠体３０に向かって突出した突起状ストッパー２２２を有する。嵌合面２２１は、嵌合部２２の外側に位置する。突起状ストッパー２２２は嵌合面２２１に接続され、嵌合面２２１の内側に位置する。「内側」は、第一枠体または第二枠体において、スーツケースの内部空間に面する側である。「外側」は、第一枠体または第二枠体において、内側とは反対側である。
【００１２】
第二枠体３０は、第二固定部３１、拡張部３２および当接部３３を有する。第二固定部３１は、スーツケース１の第二外装シェル３の周りに固定されている。拡張部３２は、第二固定部３１から嵌合部２２へ突出して形成されている。当接部３３は拡張部３２の第二固定部３１とは反対側の端部に形成されている。第二固定部３１を第二外装シェル３に固定する方法は第一固定部２１を第二外装シェル２に固定する方法と同様である。第二固定部３１はシート部材３４の装着に用いる陥没溝３１１を有する。陥没溝３１１およびシート部材３４は必ずしも必要なものではない。拡張部３２は円弧状を呈する。「円弧状」とは延出方向の横断面の形状が円弧状である状態を指す。当接部３３は嵌合部２２に当接し、かつ外側当接部３３１およびフック部３３２を有する。外側当接部３３１は拡張部３２から伸びて形成され、かつ拡張部３２と同じまたはそれに近い円弧度を有する。フック部３３２は外側当接部３３１の内側に形成されている。一方、外側当接部３３１は嵌合面２２１に当接する。フック部３３２は外側当接部３３１との間に形成された格納溝３３３を有する。格納溝３３３に突起状ストッパー２２２を格納することによって、第一枠体２０と第二枠体３０とが相互に当接する際、拡張部３２が外側または内側に屈折することを抑制することができる。
【００１３】
本実施形態において、第一枠体２０の嵌合部２２は第一頂面２２３を有する。第二枠体３０の第二固定部３１は第二頂面３１２を有する。第一頂面２２３と第二頂面３１２との間を連結する平面を仮想平面Ｓと定義されれば、第二枠体３０の拡張部３２および外側当接部３３１は仮想平面Ｓの内側または下方に位置し、外側当接部３３１の最高点は第一頂面２２３および第二頂面３１２に並列する。
【００１４】
（他の実施形態）
本考案の他の実施形態を図４に基づいて説明する。
嵌合部２２と当接部３３とは上述した実施形態に限らず、他の形式で当接しても良い。
一方、上述した一実施形態において、「拡張部３２が円弧状を呈する」ということは、拡張部３２が円弧状の法線方向に沿って窪むということである。拡張部３２は頂面および底面が円弧状面を呈するが、これに限らない。円弧状の拡張部３２は、図４に示すように、波状に形成されていることとしても良い。他の実施形態において、第二枠体３０ａの拡張部３２ａの頂面および底面は上述した一実施形態で示した円弧状面と異なるが、拡張部３２ａは円弧状の中心線Ｃに直交する法線方向に窪むため、円弧状を呈する。つまり、拡張部の形が如何に変化するかにもかかわらず、拡張部の全体が円弧状の法線方向に窪めば本考案の請求範囲に属すべきである。
【００１５】
上述した説明により、本考案は、拡張部が円弧状に形成されているため、強度が比較的高くなり、当接部と嵌合部とが相互に当接する際、拡張部の緩衝性が比較的大きくなるため、比較的大きい外力および衝撃に耐えることができる。一方、本考案は、拡張部を凹ませることによって二つの外装シェルの間のロック（図中未表示）が外側に突起し過ぎることを抑制することができる。
【００１６】
以上、本考案は、上記実施形態になんら限定されるものではなく、考案の趣旨を逸脱しない範囲において種々の形態で実施可能である。
【符号の説明】
【００１７】
１・・・スーツケース、  
２・・・第一外装シェル、
３・・・第二外装シェル、  
１０・・・スーツケースのフレーム、  
２０・・・第一枠体、  
２１・・・第一固定部、  
２１１・・・陥没溝、  
２２・・・嵌合部、  
２２１・・・嵌合面、  
２２２・・・突起状ストッパー、  
２２３・・・第一頂面、  
２３・・・玉縁、  
３０、３０ａ・・・第二枠体、  
３１・・・第二固定部、  
３１１・・・陥没溝、  
３１２・・・第二頂面、  
３２、３２ａ・・・拡張部、  
３３・・・当接部、  
３３１・・・外側当接部、  
３３２・・・フック部、  
３３３・・・格納溝、  
３４・・・シート部材、  
Ｓ・・・仮想平面、  
Ｃ・・・中心線。
【図１】
0003181440.tif 000003
【図２】
0003181440.tif 000004
【図３】
0003181440.tif 000005
【図４】
0003181440.tif 000006